(57)【要約】      （修正有）【課題】被介護者の車椅子からの転落、徘徊防止、円背体型の腰掛体勢での首や腰の痛みの緩和、寂しさの解消、更には、就寝中のこう縮予防、体位変換補助など介護に不可欠なケアを補助して、介護負担を軽減する介護用クッションを提供する。【解決手段】柔らかい棉クッション１と、形状保持耐性の強い塩化ビニールパイプを多めに詰めた、クッション２を組み合わせるなどして、椅子用の抱き枕仕様のクッションを作成する。これに居眠りなどでずれ落ちないように、腕通しベルト３を設けるなどの加工を加える。又は、必要に応じてベルトなどでクッションと体を一体で車椅子に巻きつける。以上の構成よりなる介護用クッションを、車椅子などからずり落ちる恐れや、背骨が円背変形して前屈姿勢の為、首や背中が痛くなるお年寄りに活用させる。更に、就寝中のこう縮予防、体位変換の用具などとして広く活用する。【選択図】図１
0003143744.tif 000002
【実用新案登録請求の範囲】
【請求項１】
柔らかい綿等の素材（１）と、形状保持耐性の強い塩化ビニールパイプ（２）等の粒材、ウレタン、空気、バネ材などの素材を組み合わせ、円背や、脊椎の柔軟性の減退など高齢者特有の体型の人が、腰掛けて抱きかかえた時に、体幹の腹側の姿勢形状に適合しつつ、前傾体勢を腹側から支持する耐性に優れた、椅子用の抱き枕仕様の介護用クッション。
【請求項２】
腕通しバンド（３）を取り付けたり、弾性ベルトなどで体に巻きつける。又は、シートベルトなどでクッションと体幹を一体で車椅子に巻きつける構成の請求項１の介護用クッション
【請求項３】
見た目から優しい感覚が得られるように、動物など癒しを与えるとされる形状に模り、カバーに種々の意匠を印刷するなどした請求項１の介護用クッション
【請求項４】
請求項１のクッションに音楽機器や、呼びかけに反応するような電子機器を取り付ける。以上の構成よりなる介護用用具
【考案の詳細な説明】
【技術分野】
【０００１】本考案は、高齢者の車椅子からの転落防止、円背体型の前傾姿勢の保持、孤独感の解消、就寝中のこう縮予防、体位変換、ベッドからの転落防止、更には、徘徊防止などの介護補助機能を兼備する、介護用品に関するものである。
【背景技術】
【０００２】車椅子上で介護をする場合、ずれて転落して負傷するケースが多く、対処用具の開発が待望されていた。従来の技法としてはベルトで車椅子に固定する方法などがとられていた。
又、車椅子での介護を要するお年寄りの中には、円背の為、体が前傾して首や腰などの痛みを訴える人が多く対策が必要であった。そして、お年寄りの中には不安感や寂しさを訴える人が多く、その対策が求められていた。更には、就寝中のベッドからの転落防止や、こう縮予防、徘徊防止に、より簡便な用具の開発が求められていた。
【考案の開示】
【考案が解決しようとする課題】
【０００３】車椅子からの転落防止の従来のベルトで固定する方法では、体を拘束している感覚が強く、改善要求が強いのが現状であった。又、以前よりクッションを抱えると、腰や肩関節が楽になることは解っており、座位用の抱き枕としてはゲーム用の抱き枕があったが、高齢者特有の円背や脊椎の柔軟性の減退などの体型変化を考慮した前傾姿勢の保持機能や、寂しさ解消の対策が不十分であった。
就寝中のこう縮予防やベッドからの転落防止などには、技術革新が求められており、本考案のように車椅子からベッド上までの一連のケアを単体で補助できる、介護用品はなかった。
【課題を解決するための手段】
【０００４】以上の課題を解決する為に、柔らかい棉クッション（１）と、形状保持耐性の強い塩化ビニールパイプクッション（２）を組み合わせるなどして、抱き枕仕様のクッションを作成する。これに居眠りなどで抱えた腕が、ずれ落ちないように、腕通しバンド（３）を設けるなどの加工を加える。又は、要介護の程度など必要に応じてクッションと体を一体で車椅子に巻きつける。
以上の構成よりなるクッションを、通常の椅子や車椅子などからずり落ちる恐れや、前屈姿勢の為、腰かけていると首や背中が痛くなるお年寄りに活用させる。
又、就寝中に丸まり寝になる事が多く、こう縮発生が危惧される人、ベッドからの転落の恐れのある人、あるいは体位変換保持用途などに活用する。
【考案の効果】
【０００５】この実施形態によれば、形状保持性の強いパイプクッションが前湾した脊椎の形状に、自在に流動変形して適合するように支え、前傾姿勢の為に掛かる首や背中への負担を軽減する。又、クッションを抱きかかえる事で腹圧が高まり腰痛を緩和、肩関節への負荷を軽減する。更には、不安や寂しさを訴えるお年寄りにとっては、柔らかいクッションを抱きかかえることで、これらの感情を和らげる効果がある。
そして、椅子からのずれ落ちの危険性や徘徊癖のある年寄りには、クッションと体幹を一体にベルトなどで固定することで、パイプクッション部がつっかえ捧になり、立ち上がりを制限してこれらに対処する。尚、従来のベルトだけの固定に比べ、拘束感が薄れて安心感を与え、万一ずれ落ちた場合でもクッションが衝撃を緩衝して怪我の発生を抑える効果がある。
更には、就寝中に膝下にセットするだけで、自然に仰向けになり、丸まり寝の常習が減り、こう縮発生の危険性を軽減する。又、床ずれ防止の体位変換保持や、起き上がりを制限してベッドからの転落を防ぐなどの効果がある。
【考案を実施するための最良の形態】
【０００６】この発明の実施形態を図１に示す。柔らかい感触の棉クッション（１）と、形状保持耐性が強く、円背体型に適合させる為に塩化ビニールパイプを多めに詰め込んだクッション（２）を人の字状に連結して、椅子用と就寝兼用のクッションを作成する。これに居眠りなどでずれ落ちないように、腕通しベルト（３）を設けるなどの加工を加える。【０００７】「実施形態の効果」
この実施形態によれば、クッションを抱きかかえる際に、体に当たる綿クッション部分が柔らかい感触を生みつつ、塩化ビニールパイプを多めに詰めたクッション部分が、前かがみになった高齢者の体の隙間を埋めるように適合して、体幹の腹側から支える耐性を発揮する。又、柔らかいクッションを抱きかかえることで、寂しさや不安を訴える、老人に安心感を与え、円背体型に対して支持捧として作用、首や背中、腰、肩関節などへの負荷を軽減して痛みを起き難くする。
又、認知症等で徘徊癖のある老人や、居眠りなどで滑り落ちる恐れのある人に対しては、クッションと体を一体にベルト等で車椅子に固定することで、クッションがつっかえ棒として作用し、立ち上がりを制限して徘徊行動を減らし、すべり落ちを防ぐ効果がある。
そして、ベッド上では膝の屈曲の程度などに合わせて、形状を変えて高さを調整しながら、膝下に敷いて丸まり寝を減らしてこう縮を防ぎ、体位変換保持用途などに利用できる。【０００８】「他の実施形態」
クッションの形状や素材の組み合わせなどは、種々の構成が可能であり、又、ずれ防止についても洋服のように着る仕様などの様々の応用が出来る。又、顎を支える部分に凹みを設けるなど種々の改良が可能である。試作比較の結果では、本形態を原型にする事で、椅子とベッド両方の介護補助に活用できる為、活用範囲が多く簡便であった。
【産業上の利用可能性】
【０００９】お年寄りを車椅子や、椅子に腰掛けさせて介護する際に、滑り落ちて怪我をする危険性を軽減し、万一滑り落ちた場合の衝撃緩衝用途に利用できる。そして、徘徊癖のあるお年寄りに対しては、車椅子に本考案と体を一体でベルト固定することで、立ち上がり動作を制限、徘徊防止に利用できる。又、背中の丸いお年よりは、長時間腰掛けた体勢を保つと首や背中が痛くなる場合が多いが、この痛みの緩和、更には、就寝中の丸まり寝や転落予防など介護に必要な多くの分野に幅広く利用できる。
尚、これらの用途に関する有効性については、実際の介護現場で実施確認している。
【図面の簡単な説明】
【００１０】
【図１】本考案の斜視図である。（実施例１）
【図２】本考案を車椅子上で利用した図である。（実施例２）
【図３】本考案を動物の形状に加工した図である。（実施例３）
【符号の説明】
【００１１】１    綿を詰めたクッション
２    塩化ビニールパイプを詰めたクッション
３    腕通しベルト
４    動物仕様クッション
【図１】
0003143744.tif 000003
【図２】
0003143744.tif 000004
【図３】
0003143744.tif 000005
【手続補正書】
【提出日】平成20年5月2日(2008.5.2)
【手続補正１】
【補正対象書類名】実用新案登録請求の範囲
【補正対象項目名】全文
【補正方法】変更
【補正の内容】
【実用新案登録請求の範囲】
【請求項１】
綿素材など柔軟性に富んだ素材を詰めたクッション（１）と、塩化ビニールパイプ等の粒材や、ウレタン、空気などを詰め、形状保持耐性を強めたクッション（２）を人の字状に連結するなどして、組み合わせた構成よりなり、主に座位で抱えて車椅子、介護輸送補助、膝の下に敷いて就寝補助に、兼用できる、介護用クッション。
【請求項２】
請求項１の介護用クッションに、腕のずれ落ち防止用に腕通しバンド（３）を取り付けた介護用クッション。
【請求項３】
請求項１の介護用クッションに、見た目から優しい感覚が得られるように、動物など癒しを与えるとされる形状に模り、カバーに種々の意匠を印刷するなどした介護用クッション。
【請求項４】
請求項１のクッションに、音楽機器や、呼びかけに反応するような電子機器を取り付けた介護用クッション。
【手続補正２】
【補正対象書類名】明細書
【補正対象項目名】全文
【補正方法】変更
【補正の内容】
【考案の詳細な説明】
【技術分野】
【０００１】本考案は、高齢者の車椅子からの転落防止、円背体型の前傾姿勢の保持、坂道介助、介護輸送補助、孤独感の解消、就寝中のこう縮予防、体位変換、ベッドからの転落防止、更には、徘徊防止などの介護補助機能を兼備する、介護用品に関するものである。
【背景技術】
【０００２】車椅子上で介護をする場合、ずれて転落して負傷するケースが多く、対処用具の開発が待望されていた。従来の技法としてはベルトで車椅子に固定する方法などがとられていた。
又、車椅子での介護を要するお年寄りの中には、円背や骨粗しょう症の為、体が前傾して首や腰などの痛みを訴え、長時間の座位保持や車での移動が困難な人が多く、対策が必要であった。車椅子の下り坂介助では、被介護者が転落の恐怖を覚える為、後ろ向き歩行で行わなければならず、転倒や危険性や体への負担が大きくかった。
そして、お年寄りの中には不安感や寂しさを訴える人が多く、その対策が求められていた。更には、就寝中のベッドからの転落防止や、こう縮予防、徘徊防止に、より簡便な用具の開発が求められていた。
【考案の開示】
【考案が解決しようとする課題】
【０００３】車椅子からの転落防止の従来のベルトで固定する方法では、体を拘束している感覚が強く、改善要求が強いのが現状であった。又、以前よりクッションを抱えると、腰や肩関節が楽になることは解っており、座位用の抱き枕としてはゲーム用の抱き枕があったが、高齢者特有の円背や脊椎の柔軟性の減退などの体型変化を考慮した前傾姿勢の保持機能や、寂しさ解消の対策が不十分であった。車椅子の坂道介助対策についてもほとんど改善が見られなかった。
就寝中のこう縮予防やベッドからの転落防止などには、技術革新が求められており、本考案のように車椅子からベッド上までの一連のケアを単体で補助できる、介護用品はなかった。
【課題を解決するための手段】
【０００４】以上の課題を解決する為に、柔らかい棉などを詰めたクッション（１）と、形状保持耐性を強める為に塩化ビニールパイプなどを詰めたクッション（２）を組み合わせ、抱き枕仕様のクッションを作成する。これに居眠りなどで抱えた腕が、ずれ落ちないように、腕通しバンド（３）を設けるなどの加工を加える。
以上の構成よりなるクッションを、通常の椅子や車椅子などからずり落ちる恐れや、前屈姿勢の為、腰かけていると首や背中が痛くなるお年寄りに、更には、車椅子介助、車での移動中に活用させる。又、就寝中に丸まり寝になる事が多く、こう縮発生が危惧される人、ベッドからの転落の恐れのある人、あるいは体位変換保持用途などに活用する。
【考案の効果】
【０００５】この実施形態によれば、クッションを抱えた時に形状保持性の強いクッション（２）が前湾した脊椎の形状に、自在に流動変形して適合するように支え、前傾姿勢の為に掛かる首や背中への負担を軽減する。又、クッションを抱きかかえる事で腹圧が高まり腰痛を緩和、肩関節への負荷を軽減する。更には、不安や寂しさを訴えるお年寄りにとっては、柔らかいクッションを抱きかかえることで、これらの感情を和らげる効果がある。
又、椅子からのずれ落ちの危険性や徘徊癖のある年寄りや、下り坂介助の際に、クッションを横向きにして抱えさせると、クッション（２）部がつっかえ捧になり、立ち上がりを制限、又、車椅子の下り坂介助では肘掛と体幹の間にクッションが挟まり、前傾した体重を支え、前にのめり落ちそうな感覚を軽くして恐怖感を解消、転落の危険性を軽減する。尚、従来のベルトだけの固定に比べ、拘束感が薄れて安心感を与え、万一ずれ落ちた場合でもクッションが衝撃を緩衝して怪我の発生を抑える効果がある。
更には、就寝中に膝下にセットするだけで、自然に仰向けになり、丸まり寝の常習が減り、こう縮発生の危険性を軽減する。又、床ずれ防止の体位変換保持や、起き上がりを制限してベッドからの転落を防ぐなどの効果がある。
【考案を実施するための最良の形態】
【０００６】この考案の実施形態を図１に示す。柔らかい感触の棉クッション（１）と、形状保持耐性が強く、円背体型に適合させる為に塩化ビニールパイプ等の粒料を多めに詰めたり、高反発性のウレタンなどを詰めて、耐性を高めたクッション（２）を人の字状等に連結して、椅子用と就寝兼用のクッションを作成する。これに居眠りなどでずれ落ちないように、腕通しベルト（３）を設けるなどの加工を加える。【０００７】「実施形態の効果」
この実施形態によれば、クッションを抱きかかえる際に、体に当たる綿クッション部分が柔らかい感触を生みつつ、塩化ビニールパイプを多めに詰めたクッション部分が、前かがみになった高齢者の体の隙間を埋めるように適合して、体幹の腹側から支える耐性を発揮する。又、柔らかいクッションを抱きかかえることで、寂しさや不安を訴える、老人に安心感を与え、円背体型に対して支持捧として作用、首や背中、腰、肩関節などへの負荷を軽減して痛みを起き難くする。
又、認知症等で徘徊癖のある老人や、居眠りなどで滑り落ちる恐れのある人に対しては、クッションと体を一体にベルト等で車椅子に固定することで、クッションがつっかえ棒として作用し、立ち上がりを制限して徘徊行動を減らし、すべり落ちを防ぐ効果がある。
そして、ベッド上では膝の屈曲の程度などに合わせて、形状を変えて高さを調整しながら、膝下に敷いて丸まり寝を減らしてこう縮を防ぎ、体位変換保持用途などに利用できる。【０００８】「他の実施形態」
クッションの形状や素材の組み合わせなどは、種々の構成が可能であり、又、ずれ防止についても洋服のように着る仕様などの様々の応用が出来る。又、顎を支える部分に凹みを設けるなど種々の改良が可能である。試作比較の結果では、本形態を原型にする事で、椅子とベッド両方の介護補助に活用できる為、活用範囲が多く簡便であった。
【産業上の利用可能性】
【０００９】お年寄りを車椅子や、椅子に腰掛けさせて介護する際に、滑り落ちて怪我をする危険性を軽減し、下り坂介助で安心感を与え、万一滑り落ちた場合の衝撃緩衝用途に利用できる。そして、徘徊癖のあるお年寄りに対しては、車椅子に本考案と体を一体でベルト固定することで、立ち上がり動作を制限、徘徊防止に利用できる。又、背中の丸いお年よりは、長時間腰掛けた体勢を維持したり、車での移動中に振動によって首や背中が痛くなる場合が多いが、この痛みを緩和、又、車での移動中には、急停車などの際のシートベルからの衝撃を緩衝して、怪我の発生予防用途として利用できる。更には、就寝中の丸まり寝や転落予防など介護に必要な多くの分野に幅広く利用できる。
尚、これらの用途に関する有効性については、実際の介護現場で実施確認している。
【図面の簡単な説明】
【００１０】
【図１】本考案の斜視図である。（実施例１）
【図２】本考案を車椅子上で利用した図である。（実施例２）
【図３】本考案を動物の形状に加工した図である。（実施例３）
【符号の説明】
【００１１】  １    綿を詰めたクッション
２    塩化ビニールパイプを詰めたクッション
３    腕通しベルト
４    動物仕様クッション